(57)【要約】【課題】入射した光を拡散させる拡散機能を持つとともに、表面上の座標が所定のアルゴリズムでパターン化された座標認識用パターンを含むスクリーンを提供する。【解決手段】入射した光を拡散させる拡散機能を持つとともに、表面２０ａ上の座標が所定のアルゴリズムでパターン化された座標認識用パターン２２ｂを含むスクリーン２０は、支持用基材２１と、支持用基材２１により支持され、座標認識用パターン２２ｂを含む座標認識用パターン２２層とを備えている。このスクリーン２０は、スクリーン２０の法線方向から見て、座標認識用パターン２２ｂを含むパターン領域２７Ａと、座標認識用パターン２２ｂを含まない非パターン領域２７Ｂとに区画される。そして、パターン領域２７ＡのスクリーンゲインをＧａ、表面２０ａ側における非パターン領域２７ＢのスクリーンゲインをＧｂとするとき、Ｇｂ／Ｇａが０．０３〜０．２０の範囲内となっている。【選択図】図１
2011096246.tif 000002
【特許請求の範囲】
【請求項１】
表面側または背面側から入射した光を拡散させる拡散機能を持つとともに、表面側の面上の座標が所定のアルゴリズムでパターン化された座標認識用パターンを含むスクリーンにおいて、
支持用基材と、
当該支持用基材により支持され、座標認識用パターンを含む座標認識用パターン部と、を備え、
スクリーンは、スクリーンの法線方向から見て、座標認識用パターンを含むパターン領域と、座標認識用パターンを含まない非パターン領域とからなり、
表面側におけるパターン領域のスクリーンゲインをＧａ、表面側における非パターン領域のスクリーンゲインをＧｂとするとき、Ｇｂ／Ｇａが０．０３〜０．２０の範囲内となっていることを特徴とするスクリーン。
【請求項２】
Ｇｂ／Ｇａが０．０６〜０．１４の範囲内となっていることを特徴とする請求項１に記載のスクリーン。
【請求項３】
支持用基材が、拡散機能を持つ画像表示層を有し、
座標認識用パターン部が、この支持用基材上に設けられていることを特徴とする請求項１に記載のスクリーン。
【請求項４】
座標認識用パターン部が、支持用基材の背面側の面上に設けられ、
座標認識用パターン部上に、座標認識用パターンを覆う保護層が設けられていることを特徴とする請求項３に記載のスクリーン。
【請求項５】
座標認識用パターン部が、支持用基材の表面側の面上に設けられ、
支持用基材の背面側に、支持用基材を支持する透明基材が設けられていることを特徴とする請求項３に記載のスクリーン。
【請求項６】
座標認識用パターン部が、支持用基材の表面側の面上に設けられ、
座標認識用パターン部上に、座標認識用パターンを覆う保護層が設けられ、
当該保護層が、拡散機能を持つ画像表示層を有することを特徴とする請求項１に記載のスクリーン。
【請求項７】
支持用基材が、拡散機能を持つ画像表示層を有し、
支持用基材の表面側の面に凹部が形成され、この凹部により座標認識用パターンが形成されることを特徴とする請求項１に記載のスクリーン。
【請求項８】
支持用基材または座標認識用パターン部を背面側から支持する透明基板を更に備えたことを特徴とする請求項１に記載のスクリーン。
【請求項９】
前記透明基板は、メチルメタクリレート・スチレン樹脂からなることを特徴とする請求項８に記載のスクリーン。
【請求項１０】
前記透明基板の両面のうち前記支持用基材または前記座標認識用パターン部が設けられた側とは反対の側の面に、追加基材が設けられていることを特徴とする請求項８または９に記載のスクリーン。
【請求項１１】
前記支持用基材と前記追加基材は、同種の材料からなるとともに略同一の厚みを有することを特徴とする請求項１０に記載のスクリーン。
【請求項１２】
座標認識用パターンが、光を反射するパターン用材料を有することを特徴とする請求項１に記載のスクリーン。
【請求項１３】
パターン用材料が酸化チタンからなり、
座標認識用パターンにおいて、当該酸化チタンが、座標認識用パターンを構成する材料９０重量部に対して１０〜４０重量部含まれていることを特徴とする請求項１２に記載のスクリーン。
【請求項１４】
画像表示層が、バインダー樹脂と、バインダー樹脂中に含有された複数の光拡散粒子とを含み、
複数の光拡散粒子が、各々シリカからなり、
画像表示層において、当該シリカが、画像表示層を構成する材料１１０重量部に対して１．０〜２．５重量部含まれていることを特徴とする請求項１３に記載のスクリーン。
【請求項１５】
請求項１に記載のスクリーンと、
スクリーンの表面側または背面側からスクリーンに画像を投影する投影装置と、
スクリーンの表面側に設けられ、スクリーンの座標認識用パターンを読み取る読取装置と、
読み取られた座標認識用パターンを解析する解析部と、
解析により得られた座標情報を含む画像情報を投影装置に対して出力し、投影装置によりスクリーンに投影される画像を制御する画像処理部と、を備えたことを特徴とする情報処理システム。
【発明の詳細な説明】
【技術分野】
【０００１】
本発明は、表面側または背面側から入射した光を拡散させる拡散機能を持つとともに、表面側の面上の座標が所定のアルゴリズムでパターン化された座標認識用パターンを含むスクリーンに関する。また本発明は、当該当該スクリーンを備えた情報処理システムに関する。
【背景技術】
【０００２】
従来、パソコンなどの情報処理装置からの画像を表示させるシステムとして、スクリーンと、情報処理装置の画像をスクリーンに投影するプロジェクタとを備えたシステムが知られている。このようなシステムにおいて、スクリーンに投影された画像を編集する作業、パソコンに情報を入力する作業などの情報処理作業は、一般に、パソコンに接続されたマウスまたはキーボードを用いて行われる。
【０００３】
近年、上述の情報処理作業をより容易に行うため、例えば特許文献１において、表面側に座標認識用パターンが印刷された半透明スクリーンと、背面側からスクリーンにパソコンの画像を投影するリアプロジェクタと、半透明スクリーンの座標認識用パターンを表面側から読み取るデジタルペンとを備えた情報処理システムが提案されている。特許文献１に記載の情報処理システムにおいては、スクリーン上の所定位置における座標認識用パターンをデジタルペンによって読み取ることにより、当該所定位置がデジタルペンにより走査された旨の情報をパソコンに入力することができる。
【先行技術文献】
【特許文献】
【０００４】
【特許文献１】特許第４１３５１１７号公報
【発明の概要】
【発明が解決しようとする課題】
【０００５】
半透明スクリーンに座標認識用パターンを形成する場合、座標認識用パターンは白色インキなどの光を反射する材料から形成される。この場合、デジタルペンは、座標認識用パターンによって反射された光を検出することにより座標認識用パターンを読み取る。一方、プロジェクタから投影される画像をスクリーン上に表示させるためには、スクリーンのうち座標認識用パターンが形成されていない領域が、所定の光拡散機能を有している必要がある。
【０００６】
スクリーンのうち座標認識用パターンが形成されていない領域における光拡散機能が強すぎると、座標認識用パターンからの反射光の強度と、座標認識用パターン以外の領域からの拡散光の強度との差が小さくなり、これによって、デジタルペンが座標認識用パターンを読み取るのが困難になることが考えられる。一方、スクリーンのうち座標認識用パターンが形成されていない領域における拡散機能が弱すぎると、観察者がスクリーン上に表示される画像を視認するのが困難になることが考えられる。従って、デジタルペンによる座標認識用パターンの読取性と、スクリーン上に表示される画像の視認性とを両立させるには、スクリーンにおいて、座標認識用パターンにおける反射特性と、座標認識用パターン以外の領域における拡散特性とを適切な範囲内に設定する必要がある。しかしながら特許文献１においては、このような点について全く考慮されていない。
【０００７】
本発明は、このような点を考慮してなされたものであり、表面側または背面側から入射した光を拡散させる拡散機能を持つとともに、表面側の面上の座標が所定のアルゴリズムでパターン化された座標認識用パターンを含むスクリーンを提供することを目的とする。
【課題を解決するための手段】
【０００８】
本発明は、表面側または背面側から入射した光を拡散させる拡散機能を持つとともに、表面側の面上の座標が所定のアルゴリズムでパターン化された座標認識用パターンを含むスクリーンにおいて、支持用基材と、当該支持用基材により支持され、座標認識用パターンを含む座標認識用パターン部と、を備え、スクリーンは、スクリーンの法線方向から見て、座標認識用パターンを含むパターン領域と、座標認識用パターンを含まない非パターン領域とからなり、表面側におけるパターン領域のスクリーンゲインをＧａ、表面側における非パターン領域のスクリーンゲインをＧｂとするとき、Ｇｂ／Ｇａが０．０３〜０．２０の範囲内となっていることを特徴とするスクリーンである。
【０００９】
本発明によるスクリーンにおいて、好ましくは、Ｇｂ／Ｇａが０．０６〜０．１４の範囲内となっている。
【００１０】
本発明によるスクリーンにおいて、支持用基材が、拡散機能を持つ画像表示層を有し、座標認識用パターン部が、この支持用基材上に設けられていてもよい。
【００１１】
本発明によるスクリーンにおいて、座標認識用パターン部が、支持用基材の背面側の面上に設けられ、座標認識用パターン部上に、座標認識用パターンを覆う保護層が設けられていてもよい。
【００１２】
本発明によるスクリーンにおいて、座標認識用パターン部が、支持用基材の表面側の面上に設けられ、支持用基材の背面側に、支持用基材を支持する透明基材が設けられていてもよい。
【００１３】
本発明によるスクリーンにおいて、座標認識用パターン部が、支持用基材の表面側の面上に設けられ、座標認識用パターン部上に、座標認識用パターンを覆う保護層が設けられ、当該保護層が、拡散機能を持つ画像表示層を有していてもよい。
【００１４】
本発明によるスクリーンにおいて、支持用基材が、拡散機能を持つ画像表示層を有し、支持用基材の表面側の面に凹部が形成され、この凹部により座標認識用パターンが形成されていてもよい。
【００１５】
本発明によるスクリーンは、支持用基材または座標認識用パターン部を背面側から支持する透明基板を更に備えていてもよい。
【００１６】
本発明によるスクリーンにおいて、前記透明基板は、メチルメタクリレート・スチレン樹脂からなっていてもよい。
【００１７】
本発明によるスクリーンにおいて、前記透明基板の両面のうち前記支持用基材または前記座標認識用パターン部が設けられた側とは反対の側の面に、追加基材が設けられていてもよい。
【００１８】
本発明によるスクリーンにおいて、好ましくは、前記支持用基材と前記追加基材は、同種の材料からなるとともに略同一の厚みを有している。
【００１９】
本発明によるスクリーンにおいて、座標認識用パターンが、光を反射するパターン用材料を有していてもよい。
【００２０】
本発明によるスクリーンにおいて、パターン用材料が酸化チタンからなり、座標認識用パターンにおいて、当該酸化チタンが、座標認識用パターンを構成する材料９０重量部に対して１０〜４０重量部含まれていてもよい。
【００２１】
本発明によるスクリーンにおいて、画像表示層が、バインダー樹脂と、バインダー樹脂中に含有された複数の光拡散粒子とを含み、複数の光拡散粒子が、各々シリカからなり、画像表示層において、当該シリカが、画像表示層を構成する材料１１０重量部に対して１．０〜２．５重量部含まれていてもよい。
【００２２】
本発明は、上記記載のスクリーンと、スクリーンの表面側または背面側からスクリーンに画像を投影する投影装置と、スクリーンの表面側に設けられ、スクリーンの座標認識用パターンを読み取る読取装置と、読み取られた座標認識用パターンを解析する解析部と、解析により得られた座標情報を含む画像情報を投影装置に対して出力し、投影装置によりスクリーンに投影される画像を制御する画像処理部と、を備えたことを特徴とする情報処理システムである。
【発明の効果】
【００２３】
本発明によれば、表面側または背面側から入射した光を拡散させる拡散機能を持つとともに、表面側の面上の座標が所定のアルゴリズムでパターン化された座標認識用パターンを含むスクリーンは、支持用基材と、当該支持用基材により支持され、座標認識用パターンを含む座標認識用パターン部とを備えている。当該スクリーンは、スクリーンの法線方向から見て、座標認識用パターンを含むパターン領域と、座標認識用パターンを含まない非パターン領域とに区画される。そして、表面側におけるパターン領域のスクリーンゲインをＧａ、表面側における非パターン領域のスクリーンゲインをＧｂとするとき、Ｇｂ／Ｇａが０．０３〜０．２０の範囲内となっている。このため、スクリーンに投影される画像を視認することができるとともに、スクリーンの座標認識用パターンを読取装置により読み取ることが可能となる。
【図面の簡単な説明】
【００２４】
【図１】図１は、本発明の第１の実施の形態におけるスクリーンを示す縦断面図。
【図２】図２は、本発明の第１の実施の形態におけるスクリーンを示す平面図。
【図３】図３は、本発明の第１の実施の形態において、スクリーンにより光が反射または拡散される様子を示す図。
【図４】図４は、本発明の第１の実施の形態における画像表示層を示す縦断面図。
【図５】図５は、本発明の第１の実施の形態における情報処理システムを示す斜視図。
【図６】図６は、本発明の第１の実施の形態における情報処理システムを示すブロック図。
【図７】図７（ａ）は、本発明の第１の実施の形態において、スクリーンゲインの測定方法を示す図、図７（ｂ）は、パターン領域のスクリーンゲイン測定用スクリーンを示す平面図、図７（ｃ）は、非パターン領域のスクリーンゲイン測定用スクリーンを示す平面図。
【図８】図８（ａ）〜（ｅ）は、本発明の第１の実施の形態におけるスクリーンの変形例を示す図。
【図９】図９は、本発明の第２の実施の形態におけるスクリーンを示す縦断面図。
【図１０】図１０（ａ）（ｂ）は、本発明の第３の実施の形態において、スクリーンの製造方法を示す図。
【図１１】図１１は、本発明の第４の実施の形態におけるスクリーンを示す縦断面図。
【図１２】図１２は、実施例Ａ，Ｂおよび比較例Ａにおいて、スクリーンの短辺方向における反りを測定する方法を示す図。
【発明を実施するための形態】
【００２５】
第１の実施の形態
以下、図面を参照して、本発明の第１の実施の形態について説明する。
はじめに図５および図６により、本実施の形態における情報処理システム１０全体について説明する。
【００２６】
情報処理システム
図５に示すように、情報処理システム１０は、表面２０ａ側または背面２０ｂ側から入射した光を拡散させる拡散機能を持つスクリーン２０と、スクリーン２０の表面２０ａ側（観察者側）もしくは背面２０ｂ側からスクリーン２０に画像を投影するプロジェクタ（投影装置）３０と、スクリーン２０の表面２０ａ側に設けられ、スクリーン２０の後述する座標認識用パターン２２ｂ（図２参照）を読み取るデジタルペン（読取装置）４０と、読み取られた座標認識用パターンを解析する解析部４３と、デジタルペン４０から送られた座標情報を処理するパーソナルコンピュータ（画像処理部）５０とを備えている。このうち解析部４３は、後述するようにデジタルペン４０内に設けられている。また座標認識用パターン２２ｂには、後述するようにスクリーン２０の座標に関する情報が含まれている。処理された座標情報は、画像情報とともにパーソナルコンピュータ（ＰＣ）５０からプロジェクタ３０に送られ、その後、座標情報を含む画像情報がプロジェクタ３０によりスクリーン２０に投影される。このようにして、デジタルペン４０により読み取られた座標認識用パターン２２ｂに基づき、ＰＣ５０によって、プロジェクタ３０からスクリーン２０に投影される画像が制御される。
【００２７】
このうちデジタルペン４０は、図６に示すように、スクリーン２０の表面２０ａに向って光を放射する光源４１と、光源４１からの光のうちスクリーン２０の座標認識用パターン２２ｂによって反射されてデジタルペン４０に戻ってくる光を検出する検出部４２とを有しており、このため、デジタルペン４０によってスクリーン２０の座標認識用パターン２２ｂを読み取ることができる。また、デジタルペン４０は、座標認識用パターン２２ｂに関する情報を解析して座標認識用パターン２２ｂに含まれる座標情報を算出する解析部４３をさらに有している。この場合、読み取られた座標認識用パターン２２ｂに関する情報が解析部４３によって演算解析され、座標情報に変換される。座標情報は、図６に示す通信部４４によりパーソナルコンピュータ（ＰＣ）５０に送られる。
【００２８】
デジタルペン４０の光源４１のタイプおよび光波長は特に限定されないが、好ましくは、光源４１からの光は赤外線領域の波長を有している。これによって、デジタルペン４０の光源４１からの光が観察者によって視認されるのを防ぐことができる。この場合、さらに好ましくは、デジタルペン４０の検出部４２は、赤外線領域の波長を有する光を透過させるとともに、可視光域の波長を有する光をカットするフィルターを有している。これによって、プロジェクタ３０から投影される光、または室内照明からの光などが検出器４２によって検出されるのを防ぐことができ、このことにより、検出部４２における座標認識用パターン２２ｂの読取精度を向上させることができる。
【００２９】
デジタルペン４０の解析部４３は、データ処理機能を有するものであれば特に限定されず、例えばマイコンが用いられる。デジタルペン４０の通信部４４は、読み取られた座標認識用パターン２２ｂに関する情報をＰＣ５０に送信するものであれば特に限定されず、例えば、Ｂｌｕｅｔｏｏｔｈ対応無線デバイスなどを用いることができる。
【００３０】
次にＰＣ５０について説明する。図６に示すように、ＰＣ５０は、デジタルペン４０から送られてくる座標認識用パターン２２ｂに関する情報を受信する通信部５１を有している。またＰＣ５０は、プロジェクタ３０を介してスクリーン２０に投影させる画像に関する情報を処理する画像処理部５２をさらに有しており、デジタルペン４０の解析部４３によって算出された座標に関する情報は、この画像処理部５２に渡される。この場合、画像処理部５２は、座標認識用パターン２２ｂの座標に関する情報を画像情報に付加した後、通信部５１を介して当該画像情報をプロジェクタ３０に送信する。このようにして、ＰＣ５０により、解析により得られた座標情報を含む画像情報がプロジェクタ３０に対して出力される。このようにして、デジタルペン４０により読み取られた座標認識用パターン２２ｂに基づき、ＰＣ５０によって、プロジェクタ３０からスクリーン２０に投影される画像が制御される。
【００３１】
画像処理部５２は、データ処理機能を有するものであれば特に限定されず、例えば中央処理装置（ＣＰＵ）が用いられる。また通信部５１は、デジタルペン４０の通信部４４およびプロジェクタ３０の後述する通信部３２との間で情報の送受信を行うことができるものであれば特に限定されず、有線通信用デバイス、無線通信用デバイスなどを適宜用いることができる。
【００３２】
次にプロジェクタ３０について説明する。図６に示すように、プロジェクタ３０は、ＰＣ５０から送られてくる画像に関する情報を受信する通信部３２と、ＰＣ５０からの画像情報に基づいてスクリーン２０に画像を投影する投影部３１とを有している。通信部３２は、ＰＣ５０の通信部５１との間で情報の送受信を行うことができるものであれば特に限定されず、優先通信用デバイス、無線通信用デバイスなどを適宜用いることができる。また、スクリーン２０に画像を投影するために投影部３１から放射される光の明るさ（光束）は、スクリーン２０の周囲環境などに応じて適宜調整される。
【００３３】
なお本実施の形態において、「画像」とは、ＰＣ５０の表示部５５に表示されている画面、ＰＣ５０内に保存されている動画または静止画、ＰＣ５０に接続されるカメラ（図示せず）により撮影される動画または静止画など、スクリーン２０上に表示させることが可能な全ての情報を含む概念となっている。
【００３４】
次に図１乃至図４を参照して、スクリーン２０について詳述する。
【００３５】
スクリーン
図１に示すように、スクリーン２０は、支持用基材２１と、支持用基材２１の表面２１ａ上に設けられ、座標認識用パターン２２ｂを含む座標認識用パターン部２２と、座標認識用パターン部２２上に設けられ、座標認識用パターン２２ｂを覆う保護層２３と、支持用基材２１を支持用基材２１の背面２１ｂ側から支持する透明基板２６とを備えている。支持用基材２１と透明基板２６との間には、図１に示すように接着層２５が介在されている。本願における「座標認識用パターン部２２」とは、デジタルペン４０によって読み取られる座標認識用パターン２２ｂをスクリーン２０に形成するためにスクリーン２０に設けられる複数の凹部、複数の凸部、または層など、スクリーン２０において一定の空間を占める部分を意味している。なおスクリーン２０は前述のように、表面２０ａ側または背面２０ｂ側から入射した光を拡散させる拡散機能を持っており、この拡散機能は、後述するように、保護層２３が、拡散機能を持つ画像表示層２４を有することにより実現されている。
【００３６】
（支持用基材）
このうち支持用基材２１は、座標認識用パターン２２ｂを支持するとともに、光透過性を有するものであれば特に限定されるものではなく、ガラスや透明ポリマーなどを用いることができる。
【００３７】
（座標認識用パターン）
次に図２を参照して、座標認識用パターン部２２の座標認識用パターン２２ｂについて説明する。図２は、図１に示すスクリーン２０を表面２０ａ側からみた場合を示す平面図である。図２に示すように、座標認識用パターン２２ｂは、複数のドット２２ａを支持用基材２１に配列させることにより形成されており、各ドット２２ａの直径ｄ１は例えば１００μｍとなっている。また各ドット２２ａは、図２に示すように、３００μｍ間隔で形成された、直角に交わる縦横の仮想線２２ｃの交点近傍において、交点から縦方向または横方向に所定距離だけずらされて配置されている。
【００３８】
各ドット２２ａの配置は、スクリーン２０の表面２０ａ上の座標を所定のアルゴリズムでパターン化することにより決定されており、すなわち、各ドット２２ａの配置はそれぞれスクリーン２０の表面２０ａ上における座標に対応している。従って、後述するように、各ドット２２ａからなる座標認識用パターン２２ｂをデジタルペン４０によって読み取ることにより、デジタルペン４０がスクリーン２０の表面２０ａ上のどの位置にあるかを算出することができる。なお図２に示す縦横の仮想線２２ｃは、座標認識用パターン２２ｂの説明を容易にするために便宜上表示したものであり、スクリーン２０の支持用基材２１上には、実際には仮想線２２ｃは設けられていない。
【００３９】
座標認識用パターン２２ｂの各ドット２２ａは、白色インキなど、デジタルペン４０からの光を反射するパターン用材料から形成されている。パターン用材料としては、例えば、ドット２２ａを構成する材料９０重量部に対して１０〜４０重量部の酸化チタンを含む材料が用いられる。パターン用材料を支持用基材２１上に塗布する方法は特に限定されず、印刷などの様々なパターンニング方法を用いることができる。
【００４０】
（保護層）
次に保護層２３について説明する。保護層２３は、座標認識用パターン２２ｂを保護するとともに、光透過性を有するものであれば特に限定されるものではなく、アクリレート系樹脂を有するハードコートなどを用いることができる。このような保護層２３を設けることにより、デジタルペン４０によってスクリーン２０の表面２０ａが擦られる場合であっても、印刷などのパターンニング方法によって形成されるドット２２ａが破損するのを防ぐことができる。
【００４１】
（画像表示層）
また上述のように、保護層２３は、拡散機能を持つ画像表示層２４を有している。この画像表示層２４は、図３および図４に示すように、バインダー樹脂２４ａと、バインダー樹脂２４ａ中に含有された複数の光拡散粒子２４ｂとを含んでいる。
【００４２】
このうちバインダー樹脂２４ａとしては、透明であるとともに光拡散粒子２４ｂを均一に分散保持できるものであればよく、例えばガラス、高分子樹脂などの固体を用いることができ、または、液体液晶などの流動体を用いることもできる。
ガラスとしては、光透過性を有するものであれば特に限定されず、ケイ酸塩ガラス、リン酸塩ガラス、ホウ酸塩ガラス等の酸化ガラスが実用的であり、特にケイ酸ガラス、ケイ酸アルカリガラス、ソーダ石灰ガラス、カリ石灰ガラス、鉛ガラス、バリウムガラス、ホウケイ酸ガラス等のケイ酸塩ガラスなどを用いることができる。
高分子樹脂としても、光透過性を有するものであれば特に限定されず、ポリエステル系樹脂、アクリル系樹脂、アクリルウレタン系樹脂、ポリエステルアクリレート系樹脂、ポリウレタンアクリレート系樹脂、エポキシアクリレート系樹脂、ウレタン系樹脂、エポキシ系樹脂、ポリカーボネート系樹脂、セルロース系樹脂、アセタール系樹脂、ビニル系樹脂、ポリエチレン系樹脂、ポリスチレン系樹脂、ポリプロピレン系樹脂、ポリアミド系樹脂、ポリイミド系樹脂、メラミン系樹脂、フェノール系樹脂、シリコン系樹脂、フツ素系樹脂などの熱可塑性樹脂、熱硬化性樹脂、電離放射線硬化性樹脂などを用いることができる。
【００４３】
光拡散粒子２４ｂとしては、シリカ、アルミナ、タルク、ジルコニア、酸化亜鉛、二酸化チタン等の無機系の微粒子、アクリル、尿素、ポリスチレン、ポリウレタン、ベンゾグアナミン、シリコン樹脂等の有機系の微粒子を使用することができる。
【００４４】
画像表示層２４におけるバインダー樹脂２４ａおよび光拡散粒子２４ｂの構成比率は、画像表示層２４の配置、後述するパターン領域２７ＡのスクリーンゲインＧａの大きさなどに応じて適宜設定される。例えば光拡散粒子２４ｂとしてシリカを用いる場合、画像表示層２４を構成する材料１１０重量部に対して、シリカからなる光拡散粒子２４ｂが１．０〜２．５重量部含まれていてもよい。
【００４５】
図４に示すように、画像表示層２４がスクリーン２０の表面２０ａを構成するとともに、光拡散粒子２４ｂがスクリーン２０の表面２０ａから突出していることが好ましい。例えば図４に示す画像表示層２４において、バインダー樹脂２４ａの厚さｔ１は３μｍとなっており、光拡散粒子２４ｂの直径ｔ２は４μｍとなっている。このようにしてスクリーン２０の表面２０ａに微細な凹凸を設けることにより、スクリーン２０の表面２０ａにマット感（艶消し感）を付与することができ、このことにより、スクリーン２０の表面２０ａに外光が映り込むのを防止することができる。
【００４６】
（透明基板）
透明基板２６は、支持用基材２１、座標認識用パターン２２ｂおよび保護層２３を支持するとともに、光透過性を有するものであれば特に限定されるものではなく、ガラス板などを用いることができる。
【００４７】
（接着層）
接着層としては、支持用基材２１および透明基板２６に対する接着性を有するとともに光透過性を有するものであれば特に限定されず、アクリル系樹脂、エポキシ系樹脂、エチレン・酢酸ビニル系樹脂、ポリビニルエーテル系樹脂、ポリスチレン系樹脂、ポリビニルアセタール系樹脂、セルロース系樹脂、ポリエステル系樹脂、ポリウレタン系樹脂、ポリアミド系樹脂、ポリオレフィン系樹脂、フェノール系樹脂、シアノアクリレート系樹脂等の合成樹脂、天然ゴム系、再生ゴム系、クロロプレンゴム系、ニトリルゴム系、スチレン・ブタジエンゴム系等のゴム系樹脂など公知の接着剤が用いられる。
【００４８】
次に、スクリーン２０を法線方向からみた場合のスクリーン２０の構成について説明する。図３に示すように、スクリーン２０は、スクリーン２０の法線方向から見て、座標認識用パターン２２ｂを含むパターン領域２７Ａと、座標認識用パターン２２ｂを含まない非パターン領域２７Ｂとに区画される。そして、スクリーン２０の表面２０ａ側におけるパターン領域２７ＡのスクリーンゲインをＧａ、スクリーン２０の表面２０ａ側における非パターン領域２７ＢのスクリーンゲインをＧｂとするとき、Ｇｂ／Ｇａは０．０３〜０．２０の範囲内となっている。
【００４９】
スクリーンゲイン
以下、スクリーンゲインについて説明する。スクリーンゲインとは、スクリーン２０に光を当てた場合のスクリーン２０からの光の反射の程度を表すものである。具体的には、標準白板と呼ばれる完全拡散板、一般には酸化マグネシウムを焼きつけた板に光を当てたときの反射光の輝度を１．０として、同一条件でスクリーン２０に光を当てたときの反射光の輝度として定められる。この場合、スクリーン２０に光を当てたときの反射光には、スクリーン２０の最表面において反射された光だけでなく、最表面以外の場所において反射された光も含まれる。
【００５０】
従って、スクリーン２０の表面２０ａ側におけるパターン領域２７ＡのスクリーンゲインＧａとは、酸化マグネシウムを焼きつけた板に光を当てたときの反射光の輝度を１．０として、同一条件でスクリーン２０の表面２０ａ側からパターン領域２７Ａに光を当てたときの反射光の輝度となっている。この場合の反射光は、図３に示すように、保護層２３、座標認識用パターン２２ｂ、支持用基材２１、接着層２５および透明基板２６からそれぞれ反射される光を含んでいる。
【００５１】
同様に、スクリーン２０の表面２０ａ側における非パターン領域２７ＢのスクリーンゲインＧｂとは、酸化マグネシウムを焼きつけた板に光を当てたときの反射光の輝度を１．０として、同一条件でスクリーン２０の表面２０ａ側から非パターン領域２７Ｂに光を当てたときの反射光の輝度となっている。この場合の反射光は、図３に示すように、保護層２３、支持用基材２１、接着層２５、透明基板２６、および、光拡散粒子２４ｂを有する画像表示層２４からそれぞれ反射される光を含んでいる。
【００５２】
スクリーンゲインの算出方法
次に、パターン領域２７ＡのスクリーンゲインＧａの具体的な算出方法について、図７（ａ）（ｂ）を参照して説明する。はじめに図７（ｂ）に示すように、表面２８ａの中心部２８ｃに略５０ｍｍ×５０ｍｍの領域を占めるパターン領域２７Ａが形成されたスクリーン２８を準備する。スクリーン２８は、中心部２８ｃにおけるパターン領域２７Ａの面積が異なるのみであり、他の構成は図１乃至図４に示すスクリーン２０と略同一となっている。
【００５３】
次に、暗室にスクリーン２８を設置し、その後、図７（ａ）に示すように、スクリーン２０の法線方向においてスクリーン２８の表面２８ａの中心部２８ｃから所定距離だけ離れた位置に、輝度計３５を設置する。次に図７（ａ）に示すように、輝度計３５の下方にプロジェクタ３０を設置する。このとき、プロジェクタ３０からスクリーン２８の表面２８ａの中心部２８ｃに向かう直線ｋ１と、輝度計３５からスクリーン２８の表面２８ａの中心部２８ｃに向う直線ｋ２とのなす角θが２．５度となるよう、プロジェクタ３０を設置する。
【００５４】
用いられる輝度計３５は、スクリーン２８の表面２８ａの中心部２８ｃにおけるパターン領域２７Ａの輝度を正確に測定できるものであれば特に限定されず、例えばコニカミノルタ（株）製のＣＳ−１００Ａ（測定距離１０１４ｍｍにおいて、直径１４．４ｍｍの被測定物の輝度測定が可能）を用いることができる。スクリーン２８の表面２８ａの中心部２８ｃから輝度計３５までの距離は、輝度計３５の仕様などに応じて適宜設定されるが、例えば２．８ｍとなっている。
【００５５】
次に、プロジェクタ３０からスクリーン２８の全面に白色光を投影し、このときの中心部２８ｃからの反射光の輝度を輝度計３５により測定する。この場合に測定された輝度をＮａ（０）と表す。
【００５６】
次に、スクリーン２８の中心部２８ｃと輝度計３５との間の距離を一定に保ったまま、スクリーン２８の法線と、輝度計３５と中心部２８ｃとを結ぶ線ｋ２とのなす角度がφになるまで、輝度計３５を水平方向に移動させる。その後、角度φの位置において、中心部２８ｃからの反射光の輝度を輝度計３５により測定する。この場合に測定された輝度をＮａ（φ）と表す。同様に、輝度計３５を水平方向に移動させ、角度φが−３０〜３０度となる範囲において５度刻みで、中心部２８ｃからの反射光の輝度を輝度計３５により測定する。このようにして、パターン領域２７Ａにおける輝度Ｎａ（φ）（φ＝−３０，−２５，−２０，−１５，−１０，−５，０，５，１０，１５，２０，２５，３０度）が得られる。
【００５７】
次に、スクリーン２８を酸化マグネシウム板に交換する。その後、スクリーン２８の場合と同様にして、酸化マグネシウム板からの反射光の輝度を測定する。この場合、角度φにおいて測定された輝度をＮｓ（φ）（φ＝−３０，−２５，−２０，−１５，−１０，−５，０，５，１０，１５，２０，２５，３０度）によって表す。
【００５８】
次に、パターン領域２７ＡにおけるスクリーンゲインＧａを算出する。はじめに、輝度計３５が角度φ（φ＝−３０，−２５，−２０，−１５，−１０，−５，０，５，１０，１５，２０，２５，３０度）の位置にある場合のパターン領域２７ＡにおけるスクリーンゲインＧａ（φ）（φ＝−３０，−２５，−２０，−１５，−１０，−５，０，５，１０，１５，２０，２５，３０度）を各々算出する。ここで、上述のように、パターン領域２７ＡにおけるスクリーンゲインＧａとは、酸化マグネシウムを焼きつけた板に光を当てたときの反射光の輝度を１．０として、同一条件でパターン領域２７Ａに光を当てたときの反射光の輝度のことであり、従って、輝度計３５が角度φの位置にある場合のパターン領域２７ＡにおけるスクリーンゲインＧａ（φ）は、Ｇａ（φ）＝Ｎａ（φ）／Ｎｓ（φ）によって導かれる。
次に、角度φ（φ＝−３０，−２５，−２０，−１５，−１０，−５，０，５，１０，１５，２０，２５，３０度）におけるスクリーンゲインＧａ（φ）のうち最大の値を有するものを抽出し、これをパターン領域２７ＡにおけるスクリーンゲインＧａとする。このようにして、パターン領域２７ＡのスクリーンゲインＧａを算出する。
【００５９】
次に、非パターン領域２７ＢのスクリーンゲインＧｂの算出方法について、図７（ａ）（ｃ）を参照して説明する。はじめに図７（ｃ）に示すように、表面２９ａの中心部２９ｃに略５０ｍｍ×５０ｍｍの領域を占める非パターン領域２７Ｂが形成されたスクリーン２９を準備する。スクリーン２９は、中心部２９ｃにおける非パターン領域２７Ｂの面積が異なるのみであり、他の構成は図１乃至図４に示すスクリーン２０と略同一となっている。
【００６０】
スクリーン２９の非パターン領域２７ＢにおけるスクリーンゲインＧｂの算出方法は、図７（ａ）（ｂ）に示す上述のスクリーン２８のパターン領域２７ＡにおけるスクリーンゲインＧａの算出方法と略同一であるので、詳細な説明は省略する。このようにして算出される、パターン領域２７ＡにおけるスクリーンゲインＧａと、非パターン領域２７ＢにおけるスクリーンゲインＧｂとの比Ｇｂ／Ｇａは、上述のとおり０．０３〜０．２０の範囲内となっている。
【００６１】
次に、このような構成からなる本実施の形態の作用について説明する。ここでは、プロジェクタ３０から投影される画像をスクリーン２０に表示させる作用、および、スクリーン２０の座標認識用パターン２２ｂをデジタルペン４０により読み取る作用について説明する。
【００６２】
画像の表示
はじめに、プロジェクタ３０から投影される画像をスクリーン２０に表示させる作用について説明する。
【００６３】
はじめに図５に示すように、プロジェクタ３０によって表面２０ａ側からスクリーン２０に画像を投影する。上述のとおり、スクリーン２０の保護層２３は拡散機能を持つ画像表示層２４を有しており、このため、プロジェクタ３０からの光が、画像表示層２４の光拡散粒子２４ｂにより拡散されてスクリーン２０の表面２０ａ側に居る観察者（図示せず）に到達する。このため、スクリーン２０の表面２０ａ側に居る観察者は、プロジェクタ３０によって表面２０ａ側からスクリーン２０に投影された画像を見ることができる。
【００６４】
この場合、パターン領域２７ＡにおけるスクリーンゲインＧａと、非パターン領域２７ＢにおけるスクリーンゲインＧｂとの比Ｇｂ／Ｇａは、上述のとおり０．０３〜０．２０の範囲内となっている。このように、Ｇｂ／Ｇａが０．０３以上となっているため、非パターン領域２７Ｂの画像表示層２４により拡散されて観察者に到達する光の強度を十分に大きくすることができる。このことにより、観察者は、プロジェクタ３０によって表面２０ａ側からスクリーン２０に投影された画像をはっきりと視認することができる。
【００６５】
座標認識用パターンの読取
次に、スクリーン２０の座標認識用パターン２２ｂをデジタルペン４０により読み取る作用について説明する。
【００６６】
はじめに図５に示すように、デジタルペン４０をスクリーン２０の表面２０ａ上に配置する。この場合、デジタルペン４０の軸方向とスクリーンの法線方向とがなす角度が所定の範囲内、例えば３０度以下となるようデジタルペン４０を配置する。
【００６７】
次にデジタルペン４０によってスクリーン２０の座標認識用パターン２２ｂを読み取る。この場合、はじめにデジタルペン４０の光源４１からスクリーン２０に向って光を放射し、次に、座標認識用パターン２２ｂによって反射されてデジタルペン４０に戻ってくる光をデジタルペン４０の検出部４２により検出する。その後、デジタルペン４０の解析部４３により、検出部４２により読み取られた座標認識用パターン２２ｂを解析する。ここで座標認識用パターン２２ｂは、前述のとおり、スクリーン２０の表面２０ａ上の座標を所定のアルゴリズムでパターン化することにより形成されており、このため、検出部４２により読み取られた座標認識用パターン２２ｂを解析することにより、デジタルペン４０が配置されている場所におけるスクリーン２０の座標を算出することができる。
【００６８】
次に、算出された座標情報に基づき、ＰＣ５０の画像処理部５２が、プロジェクタ３０に送る画像情報を制御する。例えば画像処理部５２は、スクリーン２０上のデジタルペン４０の座標情報を、プロジェクタ３０に送られる画像情報に逐次付加していくことができ、これによって、スクリーン２０におけるデジタルペン４０の軌跡、例えばデジタルペン４０によって描かれた絵などをスクリーン２０上に表示させることができる。
【００６９】
ここで上述のとおり、パターン領域２７ＡにおけるスクリーンゲインＧａと、非パターン領域２７ＢにおけるスクリーンゲインＧｂとの比Ｇｂ／Ｇａは０．０３〜０．２０の範囲内となっている。このように、Ｇｂ／Ｇａが０．２０以下となっているため、デジタルペン４０の光源４１からの光のうち、パターン領域２７Ａの座標認識用パターン２２ｂにより反射されて検出部４２に到達する光の強度を、非パターン領域２７Ｂの画像表示層２４により拡散されて検出部４２に到達する光の強度よりも十分に大きくすることができる。このため、座標認識用パターン２２ｂの形状を正確に認識することができ、このことにより、スクリーン２０上のデジタルペン４０の座標を正確に算出することができる。
【００７０】
このように本実施の形態によれば、表面２０ａ側または背面２０ｂ側から入射した光を拡散させる拡散機能を持つとともに、表面２０ａ上の座標が所定のアルゴリズムでパターン化された座標認識用パターン２２ｂを含むスクリーン２０は、支持用基材２１と、当該支持用基材２１により支持され、座標認識用パターン２２ｂを含む座標認識用パターン２２層とを備えている。このスクリーン２０は、スクリーン２０の法線方向から見て、座標認識用パターン２２ｂを含むパターン領域２７Ａと、座標認識用パターン２２ｂを含まない非パターン領域２７Ｂとに区画される。そして、表面２０ａ側におけるパターン領域２７ＡのスクリーンゲインをＧａ、表面２０ａ側における非パターン領域２７ＢのスクリーンゲインをＧｂとするとき、Ｇｂ／Ｇａが０．０３〜０．２０の範囲内となっている。このため、観察者がスクリーン２０に投影される画像をはっきりと視認することができるとともに、スクリーン２０の座標認識用パターン２２ｂをデジタルペン４０により正確に読み取ることができる。
【００７１】
また本実施の形態によれば、座標認識用パターン部２２上に、座標認識用パターン２２ｂを覆うとともに、拡散機能を持つ画像表示層２４を有する保護層２３が設けられている。このため、保護層２３によって、座標認識用パターン２２ｂを保護するとともに、プロジェクタ３０からの光を拡散させることができる。
【００７２】
また本実施の形態によれば、画像表示層２４は、バインダー樹脂２４ａと、バインダー樹脂２４ａ中に含有された複数の光拡散粒子２４ｂとを含んでいる。また各光拡散粒子２４ｂは、スクリーン２０の表面２０ａから突出している。このようにスクリーン２０の表面２０ａに微細な凹凸を設けることにより、スクリーン２０の表面２０ａにマット感（艶消し感）を付与することができ、このことにより、スクリーン２０の表面２０ａに外光が映り込むのを防止することができる。
【００７３】
なお本実施の形態において、プロジェクタ３０がスクリーン２０の表面２０ａ側に設けられている例を示した。しかしながら、これに限られることはなく、図５において二点鎖線で示すように、プロジェクタ３０をスクリーン２０の背面２０ｂ側に設けてもよい。この場合も、背面２０ｂ側のプロジェクタ３０からの光を画像表示層２４の光拡散粒子２４ｂによって拡散させることにより、スクリーン２０の表面２０ａ側に居る観察者は、スクリーン２０に投影された画像を視認することができる。
【００７４】
また本実施の形態において、画像処理部５２がＰＣ５０に設けられている例を示した。しかしながら、これに限られることはなく、例えば画像処理部５２に相当する機能をプロジェクタ３０に追加することにより、プロジェクタ３０が、スクリーン２０に投影される画像を制御する作業を行ってもよい。すなわち、プロジェクタ３０がＰＣ５０の役割を果たしてもよい。その他にも、画像処理部５２に相当する機能がデジタルペン４０に設けられていてもよく、また、解析部４３に相当する機能がプロジェクタに設けられていてもよい。
【００７５】
また本実施の形態において、デジタルペン４０が座標認識用パターン２２ｂを読み取ることにより、スクリーン２０におけるデジタルペン４０の軌跡がスクリーン２０上に表示される例を示した。しかしながら、これに限られることはなく、例えばスクリーン２０上にＰＣ５０の操作画面が投影されている場合、デジタルペン４０が座標認識用パターン２２ｂを読み取ることによりＰＣ５０を操作し、そして、当該操作によって変更されたＰＣ５０の操作画面をスクリーン２０上に表示させてもよい。
【００７６】
第１の実施の形態の変形例
次に図８（ａ）〜（ｅ）を参照して、スクリーン２０の変形例について説明する。
【００７７】
上述の形態において、スクリーン２０が、支持用基材２１と、支持用基材２１の表面２１ａ上に設けられ、座標認識用パターン２２ｂを含む座標認識用パターン部２２と、座標認識用パターン部２２上に設けられ、座標認識用パターン２２ｂを覆う保護層２３と、支持用基材２１を背面２１ｂ側から支持する透明基板２６とから形成され、このうち保護層２３に、拡散機能を持つ画像表示層２４が含まれている例を示した。しかしながら、これに限られることはなく、図８（ａ）（ｂ）に示すように、スクリーン２０を、支持用基材２１と、支持用基材２１上に設けられ、座標認識用パターン２２ｂを含む座標認識用パターン部２２とから形成するとともに、支持用基材２１が、拡散機能を持つ画像表示層２４を有していてもよい。この場合、図８（ａ）に示すように、座標認識用パターン２２ｂを支持用基材２１の表面２１ａ上に設けてもよく、図８（ｂ）に示すように、座標認識用パターン２２ｂを支持用基材２１の背面２１ｂ上に設けてもよい。
【００７８】
また図８（ｃ）に示すように、スクリーン２０が、支持用基材２１と、支持用基材２１の表面２１ａ上に設けられ、座標認識用パターン２２ｂを含む座標認識用パターン部２２と、座標認識用パターン部２２上に設けられ、座標認識用パターン２２ｂを覆う保護層２３とを備え、このうち保護層２３が、拡散機能を持つ画像表示層２４を有していてもよい。
【００７９】
さらに図８（ｄ）に示すように、スクリーン２０が、支持用基材２１と、支持用基材２１の背面２１ｂ上に設けられ、座標認識用パターン２２ｂを含む座標認識用パターン部２２と、座標認識用パターン部２２上に設けられ、座標認識用パターン２２ｂを覆う保護層２３とを備え、このうち支持用基材２１が、拡散機能を持つ画像表示層２４を有していてもよい。
【００８０】
また図８（ｅ）に示すように、スクリーン２０が、支持用基材２１と、支持用基材２１の表面２１ａ上に設けられ、座標認識用パターン２２ｂを含む座標認識用パターン部２２と、支持用基材２１を背面２１ｂ側から支持する透明基材２７とを備え、このうち支持用基材２１が、拡散機能を持つ画像表示層２４を有していてもよい。透明基材２７は、支持用基材２１を支持するとともに、光透過性を有するものであれば特に限定されるものではなく、ガラスや透明ポリマーなどを用いることができる。
【００８１】
また、図８（ａ）〜（ｅ）に示すスクリーン２０を背面側から支持する透明基板２６をさらに設けてもよい。
【００８２】
第２の実施の形態
次に図９を参照して、本発明の第２の実施の形態について説明する。ここで図９は、本発明の第２の実施の形態におけるスクリーンを示す縦断面図である。
【００８３】
図９に示す第２の実施の形態は、支持用基材が、拡散機能を持つ画像表示層を有し、支持用基材の表面側の面に凹部が形成され、この凹部により座標認識用パターンが形成される点が異なるのみであり、他の構成は、図１乃至図７に示す第１の実施の形態と略同一である。図９に示す第２の実施の形態において、図１乃至図７に示す第１の実施の形態と同一部分には同一符号を付して詳細な説明は省略する。
【００８４】
スクリーン
図９に示すように、スクリーン２０は、支持用基材２１と、支持用基材２１を背面２１ｂ側から支持する透明基板２６とを備えている。支持用基材２１と透明基板２６との間には、図９に示すように接着層２５が介在されている。またスクリーン２０は、表面２０ａ側または背面２０ｂ側から入射した光を拡散させる拡散機能を持っており、この拡散機能は、図９に示すように、支持用基材２１が、拡散機能を持つ画像表示層２４を有することにより実現されている。画像表示層２４は、図１乃至図７に示す第１の実施の形態における画像表示層２４と略同一であり、詳細な説明は省略する。
【００８５】
また図９に示すように、支持用基材２１の表面２１ａには複数の凹部２２ｄが形成されている。ここで、スクリーン２０の法線方向からみた場合の各凹部２２ｄの形状は、図１乃至図７に示す第１の実施の形態におけるドット２２ａの形状と略同一となっており、また図９に示す凹部２２ｄの深さｔ３は、例えば０．１ｍｍとなっている。支持用基材２１の表面２１ａにこのような凹部２２ｄを形成することにより、表面２０ａ側からスクリーン２０に入射する光を凹部２２ｄにおいて散乱させることができる。このため、図１乃至図７に示す第１の実施の形態におけるドット２２ａの場合と同様に、デジタルペン４０の光源４１から凹部２２ｄに到達する光は、凹部２２ｄにより散乱されてデジタルペン４０の検出部４２に向う。
【００８６】
凹部２２ｄを形成する位置は、図１乃至図７に示す第１の実施の形態におけるドット２２ａの配置と同様に、スクリーン２０の表面２０ａ上の座標を所定のアルゴリズムでパターン化することにより決定されており、このようにして形成された複数の凹部２２ｄにより、座標認識用パターン２２ｂが形成され、これによって座標認識用パターン２２ｂを含む座標認識用パターン部２２が構成されている。従って、図１乃至図７に示す第１の実施の形態の場合と同様に、複数の凹部２２ｄからなる座標認識用パターン２２ｂをデジタルペン４０によって読み取ることにより、デジタルペン４０がスクリーン２０の表面２０ａ上のどの位置にあるかを算出することができる。
【００８７】
凹部２２ｄを形成する方法が特に限られることはなく、レーザーアブレーション、機械切削、サンドブラスト、エッチングなどの方法を適宜用いることができる。
【００８８】
次に、スクリーン２０を法線方向からみた場合のスクリーン２０の構成について説明する。図９に示すように、スクリーン２０は、スクリーン２０の法線方向から見て、座標認識用パターン２２ｂを含むパターン領域２７Ａと、座標認識用パターン２２ｂを含まない非パターン領域２７Ｂとに区画される。そして、スクリーン２０の表面２０ａ側におけるパターン領域２７ＡのスクリーンゲインをＧａ、スクリーン２０の表面２０ａ側における非パターン領域２７ＢのスクリーンゲインをＧｂとするとき、Ｇｂ／Ｇａは０．０３〜０．２０の範囲内となっている。
【００８９】
このように本実施の形態によれば、表面２０ａ側または背面２０ｂ側から入射した光を拡散させる拡散機能を持つとともに、表面２０ａ側の面上の座標が所定のアルゴリズムでパターン化された座標認識用パターン２２ｂを含むスクリーン２０は、支持用基材２１と、当該支持用基材２１の表面２１ａに形成された複数の凹部２２ｄからなる座標認識用パターン２２ｂを含む座標認識用パターン部２２とを備えている。このスクリーン２０は、スクリーン２０の法線方向から見て、座標認識用パターン２２ｂを含むパターン領域２７Ａと、座標認識用パターン２２ｂを含まない非パターン領域２７Ｂとに区画される。そして、表面２０ａ側におけるパターン領域２７ＡのスクリーンゲインをＧａ、表面２０ａ側における非パターン領域２７ＢのスクリーンゲインをＧｂとするとき、Ｇｂ／Ｇａが０．０３〜０．２０の範囲内となっている。このため、観察者がスクリーン２０に投影される画像をはっきりと視認することができるとともに、スクリーン２０の座標認識用パターン２２ｂをデジタルペン４０により正確に読み取ることができる。
【００９０】
第３の実施の形態
次に、図１０を参照して、本発明の第３の実施の形態について説明する。
【００９１】
第３の実施の形態においては、上述の透明基板２６が、メチルメタクリレート・スチレン樹脂から構成されている。第３の実施の形態において、図１乃至図８に示す第１の実施の形態、または図９に示す第２の実施の形態と同一部分には同一符号を付して詳細な説明は省略する。
【００９２】
（本実施の形態における課題）
はじめに、本実施の形態により解決しようとする課題について説明する。上述のように、本発明においては、支持用基材２１上に設けられた座標認識用パターン２２ｂがデジタルペン４０によって読み取られることにより、スクリーン２０上におけるデジタルペン４０の座標が算出される。この場合、仮に環境変化や時間の経過に伴って、支持用基材２１または支持用基材２１を支持する透明基板２６に収縮や膨張が生じると、座標認識用パターン２２ｂが歪んでしまい、あるいはプロジェクタ３０から投影された映像が歪んだスクリーン２０上で正しく結像出来ず、映像に歪みが生じ、正しく視認出来なかったり、デジタルペン４０の座標の算出精度が劣化することが考えられる。本実施の形態は、このような映像の歪みや座標の算出精度の劣化を抑制するためのものである。
【００９３】
（支持用基材）
はじめに、本実施の形態における支持用基材２１について説明する。支持用基材２１は、座標認識用パターン２２ｂを支持するとともに、光透過性を有するよう構成されており、例えば、シート状に成形されたＰＥＴ、ＴＡＣ（トリアセチルセルロース）などの樹脂材料からなっている。また、支持用基材２１に収縮や膨張が生じるのを抑制するよう、支持用基材２１は、好ましくは延伸された樹脂材料から形成されている。これによって、支持用基材２１が高温高湿の環境下に置かれる場合であっても、支持用基材２１に生じる収縮や膨張を小さくすることができ、このことにより、支持用基材２１に設けられた座標認識用パターン２２ｂが歪むのを抑制することができる。
【００９４】
支持用基材２１を形成する際の樹脂材料の延伸倍率は、用いられる樹脂材料に応じて適宜設定される。例えば、支持用基材２１の樹脂材料としてＰＥＴが用いられる場合、延伸倍率は１．０〜３．５倍の範囲内となっている。
【００９５】
（透明基板）
次に、本実施の形態における透明基板２６について説明する。透明基板２６は、デジタルペン４０からスクリーン２０の支持用基材２１に印加される圧力を適切に受け止めるためのものである。すなわち、透明基板２６を設けることにより、デジタルペン４０の使用者は、適切な圧力をスクリーン２０に印加しながらスクリーン２０上でデジタルペン４０を走査させることが可能となる。またスクリーン２０が何らかの構造物、例えば窓やドアに取り付けられる場合、透明基板２６は、デジタルペン４０からの圧力が窓やドアに伝えられるのを抑制する役割を果たす。すなわち、透明基板２６を設けることにより、デジタルペン４０からの圧力によって窓やドアが損傷するのを防ぐことができる。本実施の形態における透明基板２６の厚みは、デジタルペン４０から印加される圧力の範囲に応じて適宜設定されるが、例えば１ｍｍ以上となっている。
【００９６】
また上述の支持用基材２１の場合と同様に、温度や湿度などの環境変化や時間の経過に伴って透明基板２６に収縮や膨張が生じる場合、座標認識用パターン２２ｂが歪んでしまうことが考えられる。このため、透明基板２６の材料として、温度や湿度などの環境変化や時間の経過に伴う収縮や膨張が小さい材料が選択される。
【００９７】
本件発明者らが鋭意実験を重ねたところ、後述する実施例での実験結果で支持されているように、メチルメタクリレート・スチレン樹脂を用いて透明基板２６を形成した場合に、圧力を適切に緩和するともに、温度や湿度などの環境変化や時間の経過に伴う収縮や膨張を小さくすることができることが見いだされた。従って、メチルメタクリレート・スチレン樹脂を用いて透明基板２６を形成することにより、環境変化等が生じた場合であっても座標認識用パターン２２ｂの歪みがほとんど生じないスクリーン２０を提供することができる。
【００９８】
メチルメタクリレート・スチレン樹脂を用いることによる上述の利点は、メチルメタクリレート・スチレン樹脂が、空気中の水分を吸収することにより膨張するという特性をあまり有さないことに起因すると考えられる。このような特性を表す一般的な指標として、吸湿膨張係数や吸水率などを挙げることができる。例えば、水中に２４時間にわたって浸漬させた場合のメチルメタクリレート・スチレン樹脂の吸水率は０．１２％以下となっている。この値は、一般的な樹脂材料、例えばアクリル樹脂の一種であるＰＭＭＡの吸水率０．３％に比べて著しく小さい。このため、メチルメタクリレート・スチレン樹脂を用いて透明基板２６を形成することにより、温度や湿度などの環境変化や時間の経過に伴う収縮や膨張を小さくすることができると考えられる。
【００９９】
透明基板２６を形成するメチルメタクリレート・スチレン樹脂としては、メチルメタクリレートとスチレンの重合物、およびメチルメタクリレート樹脂とスチレン樹脂の混合物が挙げられる。例えば、ＴＸ−１００Ｓ、ＴＸ−６００ＸＬ、ＴＸ−８００ＬＦ、ＴＸ−３２０ＸＬ（いずれも電気化学工業製）を用いることができる。水中に２４時間にわたって浸漬させた場合のＴＸ−１００Ｓ、ＴＸ−６００ＸＬ、ＴＸ−８００ＬＦ、ＴＸ−３２０ＸＬの吸水率は、それぞれ０．１２％、０．１２％、０．０９％、０．０４％となっている。なおこれらの吸水率の値は、いずれもＡＳＴＭ  Ｄ−５７０に従って測定された値である。
【０１００】
また、環境温度２３度で測定した場合の上述のＴＸ−１００Ｓ、ＴＸ−６００ＸＬ、ＴＸ−８００ＬＦ、ＴＸ−３２０ＸＬにおけるロックウェル硬度（Ｎスケール）はそれぞれ８４、８６、７７、７０となっている。このため、透明基板２６に適切な強度をもたせることができ、これによって、スクリーン２０が何らかの構造物に取り付けられる場合に、デジタルペン４０からの圧力によって構造物が損傷するのを防ぐことができる。
【０１０１】
また、温度や湿度などの環境変化や時間の経過に伴う材料の収縮や膨張を表すその他の指標として、寸法安定性を挙げることもできる。寸法安定性とは、３００ｍｍ×３０ｍｍ×３ｍｍの試験片を高温高湿の環境下（温度６０度、湿度９０％ＲＨ）に置いた場合の試験片の伸び率（３００ｍｍの辺における伸び率）を測定することにより得られる特性である。上述のＴＸ−１００Ｓ、ＴＸ−８００ＬＦ、ＴＸ−３２０ＸＬにおける２００時間経過時の伸び率は、それぞれ０．３％、０．１９％、０．０９％となっている。一方、ＰＭＭＡにおける２００時間経過時の伸び率は約０．５％となっている。このことからも、メチルメタクリレート・スチレン樹脂が、温度や湿度などの環境変化や時間の経過に伴う収縮や膨張の少ない材料であることが分かる。
【０１０２】
次に、このような構成からなる本実施の形態の作用について説明する。ここでは、主にスクリーン２０を製造する方法について説明する。
【０１０３】
スクリーンの製造方法
はじめに、連続したシート状の支持用基材２１を準備する。連続したシート状の支持用基材２１を作製する方法が特に限られることはなく、例えば押出成形法が用いられる。その後、連続したシート状の支持用基材２１を必要に応じて所定の延伸倍率で延伸させてもよい。延伸が実施される場合、その後に支持用基材２１に生じ得る収縮や膨張の程度が低減され得る。
【０１０４】
次に、輪転機を用いて支持用基材２１の表面２１ａ上に多数のドット２２ａを印刷により形成する。輪転機としては、例えば図１０（ａ）に示すように、プラテンローラー６１と、プラテンローラー６１との間で支持用基材２１を挟圧するよう配置され、表面にインキ版６３が設けられた版胴６２と、を有する輪転機６０が用いられる。このうち版胴６２のインキ版６３には、ドット２２ａを形成するためのパターン用材料が、座標認識用パターン２２ｂに対応するパターンで充填されている。なお、輪転機における印刷方法が特に限られることはなく、グラビア印刷方法、フレキソ印刷方法など様々な印刷方法が適宜用いられ得る。
【０１０５】
その後、支持用基材２１の表面２１ａ側に、座標認識用パターン２２ｂを覆う保護層２３を設ける。保護層２３を設ける方法が特に限られることはなく、例えば、連続したシート状の支持用基材２１の表面２１ａ上に保護層２３の材料を塗工することにより、保護層２３が設けられる。このようにして、ロール・ツー・ロール方式で、支持用基材２１と、支持用基材２１上に設けられた座標認識用パターン２２ｂと、座標認識用パターン２２ｂを覆う保護層２３を含むシート７０が作製される。このシート７０の厚みは、好ましくは０．２５ｍｍ以下となっている。
【０１０６】
次に、支持用基材２１、座標認識用パターン２２ｂおよび保護層２３を含む連続したシート７０を、スクリーン２０に対応する所望の面積に切断する。また図１０（ｂ）に示すように、スクリーン２０に対応する面積で作製された透明基板２６を準備する。透明基板２６の厚みは、デジタルペン４０から印加され得る圧力の範囲などに応じて適宜設定されるが、好ましくは１ｍｍ以上となっている。
【０１０７】
その後、透明基板２６上に接着層２５を設け、そして、接着層２５を介してシート７０を透明基板２６に接合させる。この際、シート７０の背面７０ｂが透明基板２６と対向するよう、シート７０を透明基板２６に接合させる。このようにしてスクリーン２０が作製される。
【０１０８】
本実施の形態によれば、上述のように、支持用基材２１、座標認識用パターン２２ｂおよび保護層２３を含むシート７０に接合される透明基板２６が、デジタルペン４０からの圧力を受け止める役割を担っている。このため、デジタルペン４０から印加され得る圧力の範囲によらず、シート７０の厚みを小さくすることができ、例えば上述のように０．２５ｍｍ以下とすることができる。これによって、上述のように、シート７０をロール・ツー・ロール方式で作製することが可能となっている。このことにより、枚葉方式でシート７０を作製する場合に比べて、製造コストをより低くすることができる。
【０１０９】
また本実施の形態によれば、透明基板２６の厚みを変えることにより、デジタルペン４０から印加され得る様々な大きさの圧力に対応することができる。このため、デジタルペン４０から印加され得る圧力の範囲によらず、ロール・ツー・ロール方式で作製されるシート７０の厚みが常に一定になっていてもよい。すなわち、スクリーン２０が用いられる情報処理システム１０のタイプによらず、常に一定の厚みでシート７０を作製することが可能となっている。このため、情報処理システム１０のタイプに応じてシート７０の厚みを変える場合に比べて、製造コストをより低くすることができる。
【０１１０】
その後、得られたスクリーン２０を、スクリーン２０の表面２０ａまたは背面２０ｂがプロジェクタ３０に対向するよう配置する。この際、スクリーン２０は、吊具（図示せず）などを用いて吊るされていてもよく、若しくは、窓やドアなどの構造物に取り付けられていてもよい。そして、デジタルペン４０、パーソナルコンピュータ５０などを準備することにより、情報処理システム１０が構成される。
【０１１１】
ここで本実施の形態によれば、上述のように、シート７０の背面７０ｂ側に設けられた透明基板２６は、メチルメタクリレート・スチレン樹脂からなっている。このため、透明基板２６によって、デジタルペン４０からの圧力を適切に受け止めることができる。また、窓やドアなどの構造物にスクリーン２０が取り付けられる場合に、窓やドアなどの構造物にデジタルペン４０からの圧力が伝えられるのを抑制することができる。また、環境変化や時間の経過に伴うスクリーン２０の収縮や膨張を小さくすることができる。このため、環境変化等が生じた場合であっても、スクリーン２０の座標認識用パターン２２ｂが歪むのを防ぐことができる。これによって、デジタルペン４０の座標の算出精度が劣化するのを防ぐことができる。
【０１１２】
変形例
なお本実施の形態において、スクリーン２０の各構成要素のうち、シート７０がデジタルペン４０側に位置していてもよく、若しくは、透明基板２６がデジタルペン４０側に位置していてもよい。どちらの場合であっても、透明基板２６によって、デジタルペン４０からの圧力を適切に受け止めることができる。
【０１１３】
第４の実施の形態
次に、図１１を参照して、本発明の第４の実施の形態について説明する。図１１に示す第４の実施の形態は、透明基板の両面のうち支持用基材または座標認識用パターン部が設けられた側とは反対の側の面に、追加接着層を介して追加基材が設けられている点が異なるのみであり、他の構成は、図１乃至図８に示す第１の実施の形態、図９に示す第２の実施の形態、または図１０に示す第３の実施の形態と略同一である。図１１に示す第４の実施の形態において、図１乃至図８に示す第１の実施の形態、図９に示す第２の実施の形態、または図１０に示す第３の実施の形態と同一部分には同一符号を付して詳細な説明は省略する。
【０１１４】
上述の第３の実施の形態において説明したように、温度や湿度などの環境変化や時間の経過に伴って、支持用基材２１に収縮や膨張が生じることが考えられる。例えば支持用基材２１が収縮する場合、支持用基材２１の四隅に反りが生じ、このため、接着層２５を介して支持用基材２１に接合されている透明基板２６の四隅が支持用基材２１側に引っ張られ、これによって、スクリーン２０の四隅が支持用基材２１側に反ることが考えられる。
【０１１５】
ここで本実施の形態においては、図１１に示すように、透明基板２６の両面のうち支持用基材２１、座標認識用パターン２２ｂおよび保護層２３を含むシート７０が設けられた側（表面２６ａ側）とは反対の側の面（裏面２６ｂ）に、追加接着層７１を介して追加基材７２が設けられている。この追加基材７２は、温度や湿度などの環境変化や時間の経過に伴う収縮または膨張に関して、支持用基材２１と同様の傾向を有するよう構成されている。例えば、支持用基材２１が温度および湿度の上昇に伴って膨張する特性を有する場合、追加基材７２は、温度および湿度の上昇に伴って膨張する特性を有するよう構成されている。同様に、支持用基材２１が時間の経過に伴って収縮する特性を有する場合、追加基材７２は、時間の経過に伴って収縮する特性を有するよう構成されている。
【０１１６】
ここで、スクリーン２０の周辺の温度および湿度が上昇した場合について考える。この場合、支持用基材２１および追加基材７２はともに膨張しようとする。一方、支持用基材２１および追加基材７２は、図１１に示すように、透明基板２６を介して互いに力を及ぼしあうようになっている。このため、支持用基材２１および追加基材７２の一方が膨張しようとする場合であっても、一方が膨張しようとする力は、他方が膨張しとうとする力によって打ち消される。すなわち、支持用基材２１および追加基材７２の一方における変位が他方によって抑制される。このことにより、スクリーン２０の周辺の温度および湿度が上昇した場合であっても、スクリーン２０に反りなどの変位が生じるのを抑制することができる。
【０１１７】
好ましくは、支持用基材２１と追加基材７２は、同種の材料からなるとともに略同一の厚みを有している。これによって、支持用基材２１が膨張または収縮しようとする力と、追加基材７２が膨張または収縮しようとする力とを略等しくすることができる。このことにより、支持用基材２１および追加基材７２の一方が膨張または収縮しようとする力を、他方が膨張または収縮しようとする力によってより完全に打ち消すことができる。これによって、スクリーン２０に反りなどの変位が生じるのをより抑制することができる。
【０１１８】
変形例
なお本実施の形態において、スクリーン２０の各構成要素のうち、シート７０がデジタルペン４０側に位置している例を示した。しかしながら、これに限られることはなく、スクリーン２０の各構成要素のうち、追加基材７２がデジタルペン４０側に位置していていもよい。この場合であっても、透明基板２６によって、窓やドアなどの構造物にデジタルペン４０からの圧力が伝えられるのを抑制することができる。
【０１１９】
その他の変形例
また上述の第３および第４の実施の形態において、透明基板２６が、メチルメタクリレート・スチレン樹脂からなる例を示した。しかしながら、これに限られることはなく、応力を適切に受け止めるのに十分な強度を有するとともに、環境変化や時間の経過に伴う寸法変化の小さいその他の材料を用いて、透明基板２６を構成してもよい。透明基板２６の材料を選択する際の指標としては、例えば、上述の寸法安定性が０．０５〜０．４％以下である点などが挙げられる。
【実施例】
【０１２０】
以下、上述した第１の実施の形態の具体的実施例について述べる。
【０１２１】
（実施例１）
実施例１に係るスクリーン２０は、図８（ｃ）に示す本発明の第１の実施の形態の変形例に係るスクリーン２０に対応するものであり、スクリーン２０は、支持用基材２１と、支持用基材２１の表面２１ａ上に設けられ、座標認識用パターン２２ｂを含む座標認識用パターン部２２と、座標認識用パターン部２２上に設けられ、座標認識用パターン２２ｂを覆う保護層２３とを備え、このうち保護層２３は、拡散機能を持つ画像表示層２４を含んでいる。
【０１２２】
以下の材料を混練することにより、座標認識用パターン２２ｂを形成するパターン用材料を作成した。
・  ウレタン系樹脂（荒川化学工業（株）製、ユリアーノ２４６６）：１０．０重量部
・  硝化綿：２．０重量部
・  硬化剤（三井化学ポリウレタン（株）製、タケネートＤ−１１０Ｎ）：２．０重量部
・  イソプロピルアルコール：１５．０重量部
・  メチルエチルケトン：１６．０重量部
・  酢酸エチル：５．０重量部
・  顔料（酸化チタン）：４０．０重量部（シリカ表面処理品、平均粒径：０．３μｍ）
【０１２３】
まず、支持用基材２１（東洋紡績（株）製 ポリエステルフィルム コスモシャインＡ４３００フィルム）に対して上述のパターン用材料をグラビア印刷により塗布し、次に、支持用基材２１を加熱し、その後、支持用基材２１を乾燥させることにより、複数のドット２２ａからなる座標認識用パターン２２ｂを支持用基材２１の表面２１ａ上に形成した。ドット２２ａの直径は１００μｍとした。なお上述のように、パターン領域２７ＡにおけるスクリーンゲインＧａを測定するため、別途、支持用基材２１の表面２１ａ上の略５０ｍｍ×５０ｍｍの領域に上述のパターン用材料を塗布した。
【０１２４】
次に、以下の材料を混練することにより、画像表示層２４を形成する画像結像用材料を作成した。
・  ウレタン系樹脂（日本樹脂化学（株）製、ＵＶ−１４００Ｂ）：２０．０重量部
・  光開始剤（チバ・ジャパン(株）製、Ｉｒｇ−９０７）：０．５重量部
・  光拡散粒子（粉末シリカ、平均粒径：４．０μｍ）：１．０重量部
・  メチルイソブチルケトン：８８．５重量部
【０１２５】
上述の画像結像用材料を、支持用基材２１の座標認識用パターン２２ｂを覆うようグラビア印刷により塗布した。塗布した画像結像用材料を乾燥させた後、乾燥した画像結像用材料を紫外線照射により硬化させ、これによって、座標認識用パターン２２ｂ上に、拡散機能を持つ画像表示層２４を有する保護層２３を形成した。このとき、保護層２３の厚さが３μｍとなるように調整した。このようにして、図８（ｃ）に示す本発明の第１の実施の形態の変形例に係るスクリーン２０を作成した。
【０１２６】
（実施例２）
パターン用材料において、顔料（酸化チタン）の重量部を１０重量部とし、メチルエチルケトンの重量部を４６重量部としたこと以外は実施例１と同様にして、スクリーン２０を作成した。
【０１２７】
（実施例３）
画像結像用材料において、光拡散粒子（粉末シリカ）の重量部を１．５重量部とし、メチルイソブチルケトンの重量部を８８重量部としたこと以外は実施例１と同様にして、スクリーン２０を作成した。
【０１２８】
（実施例４）
パターン用材料において、顔料（酸化チタン）の重量部を１０重量部とし、メチルエチルケトンの重量部を４６重量部とし、かつ画像結像用材料において、光拡散粒子（粉末シリカ）の重量部を１．５重量部とし、メチルイソブチルケトンの重量部を８８重量部としたこと以外は実施例１と同様にして、スクリーン２０を作成した。
【０１２９】
（実施例５）
画像結像用材料において、光拡散粒子（粉末シリカ）の重量部を２．５重量部とし、メチルイソブチルケトンの重量部を８７重量部としたこと以外は実施例１と同様にして、スクリーン２０を作成した。
【０１３０】
（実施例６）
パターン用材料において、顔料（酸化チタン）の重量部を１０重量部とし、メチルエチルケトンの重量部を４６重量部とし、かつ画像結像用材料において、光拡散粒子（粉末シリカ）の重量部を２．５重量部とし、メチルイソブチルケトンの重量部を８７重量部としたこと以外は実施例１と同様にして、スクリーン２０を作成した。
【０１３１】
（実施例７）
パターン用材料において、顔料として４０重量部の酸化亜鉛を用いたこと以外は実施例１と同様にして、スクリーン２０を作成した。
【０１３２】
（実施例８）
パターン用材料において、顔料として４０重量部の酸化亜鉛を用いたこと以外は実施例３と同様にして、スクリーン２０を作成した。
【０１３３】
（実施例９）
パターン用材料において、顔料として４０重量部の酸化亜鉛を用いたこと以外は実施例５と同様にして、スクリーン２０を作成した。
【０１３４】
（比較例１）
画像結像用材料において、光拡散粒子（粉末シリカ）の重量部を０重量部とし、メチルイソブチルケトンの重量部を８９重量部としたこと以外は実施例１と同様にして、スクリーン２０を作成した。
【０１３５】
（比較例２）
画像結像用材料において、光拡散粒子（粉末シリカ）の重量部を０重量部とし、メチルイソブチルケトンの重量部を８９重量部としたこと以外は実施例２と同様にして、スクリーン２０を作成した。
【０１３６】
（比較例３）
座標認識用パターン２２ｂを含む座標認識用パターン部２２を支持用基材２１の背面２１ｂ上に設け、この座標認識用パターン２２ｂ上に、拡散機能を持つ画像表示層２４を含む保護層２３を設けたこと以外は実施例１と同様にして、スクリーン２０を作成した。
【０１３７】
評価項目
実施例１〜９及び比較例１，２に係るスクリーン２０について、表面２０ａ側におけるパターン領域２７ＡのスクリーンゲインＧａと、表面２０ａ側における非パターン領域２７ＢのスクリーンゲインＧｂとの比Ｇｂ／Ｇａを算出した。また実施例１〜９及び比較例１，２に係るスクリーン２０について、プロジェクタ３０から投影される画像の視認性の評価、およびデジタルペン４０による座標の認識性の評価を行った。さらに実施例１〜９及び比較例１〜３に係るスクリーン２０について、外光の映り込みが防がれているかどうかを評価した。
【０１３８】
（スクリーンゲイン）
表面２０ａ側におけるパターン領域２７ＡのスクリーンゲインＧａ、および非パターン領域２７ＢのスクリーンゲインＧｂの測定方法は、第１の実施の形態において説明した測定方法と略同一であり、詳細な説明は省略する。
【０１３９】
（画像視認性）
プロジェクタ３０から投影される画像の視認性の評価においては、はじめにスクリーン２０を室内に設置し、次にスクリーン２０の正面における室内の照明からの照度が７５ｌｘとなるよう室内照明を調整した。次に、スクリーン２０の表面２０ａ側にプロジェクタ３０を設置し、このプロジェクタ３０により、対角５０インチ、横４：縦３の投影サイズにてスクリーン２０に画像を投影した。
プロジェクタ３０によりスクリーン２０に投影する画像は、パターンジェネレータ（図示せず）により生成された所定のテストパターンとした。プロジェクタ３０の明るさ（プロジェクタ３０からの光束）は２０００ｌｍとした。
スクリーン２０の表面２０ａの中心部２０ｃと観測者（図示せず）とを結ぶ線がスクリーン２０の法線と３０度の角度をなす位置に観測者を配置し、この状況で観測者がスクリーン２０に投影さえる画像を視認可能かどうかを判定した。スクリーン２０の表面２０ａの中心部２０ｃから観測者までの距離は２．０ｍであった。同一条件で５人の観測者が順に判定を行い、観測者５人全員が視認可能であった場合、評価結果を○とし、観測者５人中１〜４人が視認可能であった場合、評価結果を△とし、観測者５人全員が視認できなかった場合、評価結果を×とした。
【０１４０】
（座標認識性）
デジタルペン４０による座標の認識性においては、市販のデジタルペン（日立マクセル（株）製、ＤＰ−２０１）によりスクリーン２０の表面２０ａをなぞったときに、デジタルペン４０の配置箇所でのスクリーン２０の座標が正確に算出されるかどうかを評価した。このとき、デジタルペン４０の軸方向とスクリーンの法線方向とがなす角度が３０度となるようデジタルペン４０を保持した。座標が正確に算出された場合、評価結果を○とし、座標が正確に算出されなかった場合、評価結果を×とした。
【０１４１】
（外光映り込みの防止）
スクリーン２０に映り込んだ室内照明の輪郭が明確に識別可能であるかどうかを判定した。室内照明の輪郭が明確に識別可能であった場合、評価結果を×とし、室内照明の輪郭が明確には識別されなかった場合、評価結果を○とした。
【０１４２】
評価結果
表面２０ａ側におけるパターン領域２７ＡのスクリーンゲインＧａと、表面２０ａ側における非パターン領域２７ＢのスクリーンゲインＧｂとの比Ｇｂ／Ｇａ、画像の視認性の評価結果、および座標の認識性の評価結果を表１に示す。表１に示すように、Ｇｂ／Ｇａが０．０３〜０．２０の範囲内となっている場合（実施例１〜５，７，８の場合）、画像視認性および座標識別性の良好な評価結果が得られた。また表１に示すように、Ｇｂ／Ｇａが０．０６〜０．１４の範囲内となっている場合（実施例２〜４の場合）、画像視認性および座標識別性のさらに良好な評価結果が得られた。
【表１】
2011096246.tif 000003
【０１４３】
また実施例１と７、実施例３と８、および実施例５と９の対比からわかるように、座標認識用パターン２２ｂを形成するパターン用材料の顔料として４０重量部の酸化亜鉛を用いた場合のパターン領域２７ＡのスクリーンゲインＧａは、パターン用材料の顔料として４０重量部の酸化チタンを用いた場合のパターン領域２７ＡのスクリーンゲインＧａの８５％程度となっていた。
【０１４４】
比較例１，２における評価結果からわかるように、スクリーン２０中に光拡散粒子（シリカ）２４が含まれていない場合、座標識別性は良好であったが、画像視認性が得られなかった。
【０１４５】
実施例１〜９および比較例１〜３における外光映り込みに関する評価結果は、実施例１〜９において○、比較例１〜３において×となっていた。
【０１４６】
次に、上述した第３および第４の実施の形態の具体的実施例について述べる。
（実施例Ａ）
実施例Ａに係るスクリーン２０は、図１０に示す本発明の第３の実施の形態に係るスクリーン２０に対応するものである。スクリーン２０は、表面７０ａと背面７０ｂとを有し、支持用基材２１、座標認識用パターン２２ｂおよび保護層２３を含むシート７０と、シート７０の背面６０ｂ側に接着層２５を介して設けられた透明基板２６と、を備えている。
【０１４７】
上述の実施例１の場合と同様にして、座標認識用パターン２２ｂを形成するパターン用材料を作成した。
【０１４８】
次に、連続したシート状の支持用基材２１（東洋紡績（株）製 ポリエステルフィルム コスモシャインＡ４３００フィルム）に対して上述のパターン用材料をグラビア印刷により塗布し、次に、支持用基材２１を加熱し、その後、支持用基材２１を乾燥させることにより、複数のドット２２ａから構成される座標認識用パターン２２ｂを基材２１の表面２１ａ上に形成した。ドット２２ａの直径は１００μｍとした。その後、基材２１の表面２１ａ側に、多数のドット２２ａを覆う保護層２３を設けた。このようにしてシート７０を作製した。シート７０の厚みは１０５μｍとなっていた。
【０１４９】
次に、連続したシート７０を、４６インチのワイドサイズ（１０１８．１ｍｍ×５７２．７ｍｍ）に切断した。その後、切断されたシート７０を、同様のサイズで準備された厚み３ｍｍの透明基板２６（電気化学工業製メチルメタクリレート・スチレン樹脂  ＴＸ−８００ＬＦ）に接着層２５を介して接合した。このようにして、４６インチのワイドサイズのスクリーン２０を作製した。
【０１５０】
（実施例Ｂ）
透明基板２６の裏面２６ｂに、追加接着層７１を介して追加基材７２を設けたこと以外は実施例Ａと同様にして、４６インチのワイドサイズのスクリーン２０を作製した。追加基材７２の厚みおよび材料は、支持用基材２１の厚みおよび材料と同一にした。
【０１５１】
（比較例Ａ）
シート７０の背面７０ｂ側に設けられる透明基板として、アクリル樹脂からなる透明基板を用いたこと以外は実施例Ａと同様にして、４６インチのワイドサイズのスクリーン２０を作製した。
【０１５２】
評価項目
実施例Ａ、Ｂ及び比較例Ａに係るスクリーン２０について、高温高湿の環境下でスクリーン２０を長時間吊るした場合に生じる反り量の変化量を測定した。具体的には、まず、温度２５度、湿度６０％ＲＨの環境下で保管されていたスクリーン２０を準備し、このときスクリーン２０の短辺側に生じていた反り量Ｄ１を測定した。次に図１２（ａ）に示すように、スクリーン２０を、温度６０度、湿度９５％ＲＨの環境下で２４時間にわたって吊るした。この場合、図１２（ａ）に示すように、スクリーン２０の短辺側に一対の吊具６５を取り付け、この一対の吊具６５を用いてスクリーン２０を吊るした。なお、一対の吊具６５はそれぞれ、スクリーン２０の長辺側の端部から１／３×ｗ（ｗはスクリーン２０の短辺の幅）のところに取り付けられていた。
【０１５３】
次に、スクリーン２０を、温度２５度、湿度６０％ＲＨの環境下で２４時間にわたって吊るした。その後、スクリーン２０の短辺側に生じていた反り量Ｄ１を測定した（図１２（ｂ）参照）。
【０１５４】
実施例Ａ、実施例Ｂおよび比較例Ａによるスクリーン２０を用いた場合の各々について、温度６０度、湿度９５％ＲＨの環境下に２４時間保管する前後での反り量Ｄ１の差を算出した。結果を表２に示す。
【表２】
2011096246.tif 000004
【０１５５】
表２に示すように、メチルメタクリレート・スチレン樹脂からなる透明基板２６を用いた実施例Ａおよび実施例Ｂの場合、反り量Ｄ１の差が２ｍｍ以下となっていた。一方、アクリル樹脂からなる透明基板を用いた比較例Ａの場合、反り量Ｄ１の差が１３ｍｍとなっていた。このように、メチルメタクリレート・スチレン樹脂からなる透明基板２６を用いることにより、高温高湿の環境に対するスクリーン２０の耐性を著しく向上させることができた。
【符号の説明】
【０１５６】
１０    情報処理システム
２０    スクリーン
２０ａ  表面
２０ｂ  背面
２０ｃ  表面の中心部
２１    支持用基材
２１ａ  表面
２１ｂ  背面
２２    座標認識用パターン部
２２ａ  ドット
２２ｂ  座標認識用パターン
２２ｃ  仮想線
２２ｄ  凹部
２３    保護層
２４    画像表示層
２４ａ  バインダー樹脂
２４ｂ  光拡散粒子
２５    接着層
２６    透明基板
２７    透明基材
２８    パターン領域のスクリーンゲイン測定用スクリーン
２８ａ  表面
２８ｃ  表面の中心部
２９    非パターン領域のスクリーンゲイン測定用スクリーン
２９ａ  表面
２９ｃ  表面の中心部
３０    プロジェクタ
３１    投影部
３２    通信部
４０    デジタルペン
４１    光源
４２    検出部
４３    解析部
４４    通信部
５０    パーソナルコンピュータ
５１    通信部
５２    画像処理部
５５    表示部
６０    輪転機
６１    プラテンローラー
６２    版胴
６３    インキ版
６５    吊具
７０    シート
７０ａ  表面
７０ｂ  背面
７１    追加接着層
７２    追加基材
【図１】
2011096246.tif 000005
【図２】
2011096246.tif 000006
【図３】
2011096246.tif 000007
【図４】
2011096246.tif 000008
【図５】
2011096246.tif 000009
【図６】
2011096246.tif 000010
【図７】
2011096246.tif 000011
【図８】
2011096246.tif 000012
【図９】
2011096246.tif 000013
【図１０】
2011096246.tif 000014
【図１１】
2011096246.tif 000015
【図１２】
2011096246.tif 000016